(57)【要約】【課題】柱頭部の形状及び寸法が異なる複数種類の照明用ポールのいずれに対しても取付け可能とする。【解決手段】ポール取付け部１１は，下端に開口部１２０を有する中空の筒形に形成される本体１２と，本体１２の内側面の少なくとも一部から突き出す突出部１３と，本体１２の側壁を貫通する複数のねじ孔１２３に一本ずつねじ込まれる複数の雄ねじ１４とを有する。本体１２は，開口部１２０と突出部１３に挟まれ，照明用ポールの先端部分（柱頭部）が収容される第１収容空間１２１と，第１収容空間１２１の上方に配置され，かつ，第１収容空間１２１よりも狭い第２収容空間１２２とを本体１２の内部に有する。複数のねじ孔１２３のうちの少なくとも二つのねじ孔１２３は，第１収容空間１２１を挟んで対向する位置に配置される。【選択図】        図２
2019192506.tif 000002
【特許請求の範囲】
【請求項１】
照明器具が取り付けられる器具取付け部と，
照明用ポールに取り付けられるポール取付け部と
を備え，
前記ポール取付け部は，
下端に開口部を有する中空の筒形に形成される本体と，
前記本体の内側面の少なくとも一部から突き出す突出部と，
前記本体の側壁を貫通する複数のねじ孔に一本ずつねじ込まれる複数の雄ねじと
を有し，
前記本体は，
前記開口部と前記突出部に挟まれ，前記照明用ポールの先端部分が収容される第１収容空間と，
前記第１収容空間の上方に配置され，かつ，前記第１収容空間よりも狭い第２収容空間と
を前記本体の内部に有し，
前記複数のねじ孔のうちの少なくとも二つのねじ孔は，前記第１収容空間を挟んで対向する位置に配置される，
アダプタ。
【請求項２】
前記突出部は，前記本体の内側面の一部における周方向全体に設けられている，
請求項１記載のアダプタ。
【請求項３】
前記本体の内部は，角筒形又は円筒形である，
請求項１又は２記載のアダプタ。
【請求項４】
前記ポール取付け部に取り付けられるサブアダプタを備え，
前記サブアダプタは，下端に開口部を有する中空の筒形に形成されて前記照明用ポールの先端部分を収容するサブアダプタ本体を有し，
前記サブアダプタ本体は，前記本体の第１収容空間に収容された状態において前記複数のねじ孔と一つずつ繋がる複数の孔を有する，
請求項１〜３のいずれか一項に記載のアダプタ。
【請求項５】
器具本体と，
請求項１〜４のいずれか一項のアダプタと
を有する，
照明器具。
【発明の詳細な説明】
【技術分野】
【０００１】
本発明は，アダプタ及び照明器具に関し，より詳細には，照明用ポールに照明器具を取り付けるためのアダプタ，及び照明用ポールに取り付けられる照明器具に関する。
【背景技術】
【０００２】
従来例として，特許文献１記載の照明装置（照明器具）を例示する。特許文献１記載の照明装置（以下，従来例という。）は，ランプが装着されるソケットと，ソケット及びランプを覆うグローブと，ソケット及びグローブが固定される共通ホルダとを有する。共通ホルダは，先端部分の外径が異なる大小２種類の円筒状のポール（照明用ポール）に取り付け可能に形成されている。共通ホルダの下端面に設けられた大ポール用取付部は，大ポールを嵌挿して取り付けるために形成されている。一方，共通ホルダに一体的に成型された小ポール用取付部には，一対の突出部に小ポールを嵌挿するための溝部が設けられている。当該一対の突出部は，大ポール用取付部の内側の延設面の一部を互いにグローブ側へと突出するように形成されている。これにより，従来例は，適合するポールの選択肢を拡大することができるとともに，製造工程の簡略化及び配線接続作業の効率向上を可能にする。
【先行技術文献】
【特許文献】
【０００３】
【特許文献１】特開平１１−２８８６１５号公報
【発明の概要】
【発明が解決しようとする課題】
【０００４】
ところで，ポール（照明用ポール）には円筒形以外に角筒形の照明用ポールが存在する。しかしながら，上記従来例は，直径の異なる複数種類の円筒形の照明用ポールに取り付けることはできても，角筒形の照明用ポールに取り付けることはできなかった。
【０００５】
本発明の目的は，形状及び寸法が異なる複数種類の照明用ポールのいずれに対しても取付け可能とすることができるアダプタ及び照明器具を提供することである。
【課題を解決するための手段】
【０００６】
本発明の一態様に係るアダプタは，照明器具が取り付けられる器具取付け部と，照明用ポールに取り付けられるポール取付け部とを備える。前記ポール取付け部は，下端に開口部を有する中空の筒形に形成される本体と，前記本体の内側面の少なくとも一部から突き出す突出部と，前記本体の側壁を貫通する複数のねじ孔に一本ずつねじ込まれる複数の雄ねじとを有する。前記本体は，前記開口部と前記突出部に挟まれ，前記照明用ポールの先端部分が収容される第１収容空間と，前記第１収容空間の上方に配置され，かつ，前記第１収容空間よりも狭い第２収容空間とを前記本体の内部に有する。前記複数のねじ孔のうちの少なくとも二つのねじ孔は，前記第１収容空間を挟んで対向する位置に配置される。
【０００７】
本発明の一態様に係る照明器具は，器具本体と，前記アダプタとを有する。
【発明の効果】
【０００８】
本発明のアダプタ及び照明器具は，形状及び寸法が異なる複数種類の照明用ポールのいずれに対しても取付け可能とすることができるという効果がある。
【図面の簡単な説明】
【０００９】
【図１】図１は，本発明の実施形態に係るアダプタを示し，当該アダプタを用いて照明用ポールに照明器具を取り付けた状態の斜視図である。
【図２】図２は，同上のアダプタの縦断面図である。
【図３】図３は，同上のアダプタの横断面図である。
【図４】図４は，同上の変形例１のアダプタの斜視図である。
【図５】図５は，同上のアダプタの横断面図である。
【図６】図６は，同上の変形例２のアダプタの縦断面図である。
【図７】図７は，同上の変形例３のアダプタの縦断面図である。
【図８】図８は，本発明の実施形態に係る照明器具の側面図である。
【発明を実施するための形態】
【００１０】
以下，図面を参照して，実施形態に係るアダプタ及び照明器具を説明する。ただし，下記の実施形態において説明する各図は模式的な図であり，各構成要素の大きさや厚さそれぞれの比が必ずしも実際の寸法比を反映しているとは限らない。なお，以下の実施形態で説明する構成は本発明の一例にすぎない。本発明は，以下の実施形態に限定されず，本発明の効果を奏することができれば，設計等に応じて種々の変更が可能である。
【００１１】
本実施形態のアダプタ１は，図１及び図２に示すように，照明器具３が取り付けられる器具取付け部１０と，照明用ポール２に取り付けられるポール取付け部１１とを備える。
【００１２】
照明用ポール２は，第１の照明用ポール２Ａと第２の照明用ポール２Ｂの二種類の照明用ポールを含み，これら二種類の照明用ポール２Ａ，２Ｂのうちから択一的に選択されて用いられる。第１の照明用ポール２Ａは，図３に示すように，先端部分（柱頭部２０Ａ）の形状が円筒形である。また，第２の照明用ポール２Ｂは，図４に示すように，柱頭部２０Ｂの形状が角筒形である。さらに，第１の照明用ポール２Ａには柱頭部２０Ａの直径が異なる複数種類の照明用ポールが含まれる。例えば，第１の照明用ポール２Ａは，柱頭部２０Ａの直径（外径）が３８．１ｍｍ，６０ｍｍ，６０．５ｍｍ，７６．３ｍｍ，８９．１ｍｍ，１０１．６ｍｍ及び１１４．３ｍｍのいずれかに該当する７種類の照明用ポールを含む。また，第２の照明用ポール２Ｂには柱頭部２０Ｂの幅（一辺の長さ）が異なる複数種類の照明用ポールが含まれる。例えば，第２の照明用ポール２Ｂは，柱頭部２０Ｂの幅が６０ｍｍ及び９０ｍｍのいずれかに該当する２種類の照明用ポールを含む。なお，第１の照明用ポール２Ａの柱頭部２０Ａ及び第２の照明用ポール２Ｂの柱頭部２０Ｂは，各々の柱頭部以外の部分よりもそれぞれの直径及び幅が小さくなっている。ただし，第１の照明用ポール２Ａ及び第２の照明用ポール２Ｂは，柱頭部２０Ａ，２０Ｂを含めて全体の直径及び幅が均一であってもかまわない。ここで，照明用ポール２及び柱頭部２０Ａ，２０Ｂの直径及び幅は，照明用ポール２を形成する鋼管の直径及び幅によって決まる。例えば，照明用ポール２及び柱頭部２０Ａ，２０Ｂの直径及び幅は，ＪＩＳ  Ｇ  ３４４４一般構造用炭素鋼鋼管に規定される外径及びＪＩＳ  Ｇ  ３４６６一般構造用角形鋼管に規定されている辺の長さに準拠している。
【００１３】
照明器具３は，図１に示すように，四つのＬＥＤユニット３０，器具本体３１，グローブ３２，アーム３３などを備えている。器具本体３１は，アルミ又はアルミ合金などの金属材料により，中空の円錐台形状に形成されている。なお，器具本体３１の下側の底面は開放されている。
【００１４】
四つのＬＥＤユニット３０は，器具本体３１の下側の底面と対向するように器具本体３１の内部に収容される。これら四つのＬＥＤユニット３０は，縦横に並べられている。各ＬＥＤユニット３０は，電源装置（不図示）から供給される直流電力によって発光（点灯）して白色光を放射する。各ＬＥＤユニット３０から放射される光（白色光）は，器具本体３１の下面の開口を通して器具本体３１の下方に照射される。なお，電源装置は，器具本体３１の内部において，四つのＬＥＤユニット３０の上方の空間に収容される。
【００１５】
グローブ３２は，透光性を有する材料（アクリル樹脂又はポリカーボネート樹脂などの透光性を有する合成樹脂又はガラスなど）によってドーム状に形成されている。グローブ３２は，器具本体３１の下側の底面を塞ぐように器具本体３１に取り付けられる。つまり，四つのＬＥＤユニット３０から放射される光は，透光性を有するグローブ３２を通して器具本体３１の下方に照射される。なお，グローブ３２は，例えば，透光性を有する合成樹脂材料に光拡散剤が混入されることによって光を拡散するように構成されてもよい。
【００１６】
アーム３３は，器具本体３１に固定される第１固定部３３１と，照明用ポール２に固定される第２固定部３３２とを有している（図１参照）。第１固定部３３１は，三角柱状に形成されている。第２固定部３３２は，両端が開放された中空の円筒形状に形成されている。第１固定部３３１の長手方向（軸方向）の第１端が器具本体３１にねじ止めされている。第１固定部３３１の長手方向の第２端が第２固定部３３２の上端と結合されている。第２固定部３３２の側壁には二つのねじ孔３３３が設けられている。なお，第１固定部３３１と第２固定部３３２は，アルミダイカストによって一体に形成されることが好ましい。
【００１７】
アダプタ１の器具取付け部１０は中空の円筒形状に形成されている（図２参照）。器具取付け部１０は，アーム３３の第２固定部３３２の内部に収容される（図１参照）。器具取付け部１０は，第２固定部３３２の四つ（図示は二つのみ）のねじ孔３３３に一つずつねじ込まれる雄ねじ（六角穴付き止めねじ）３３４により，第２固定部３３２の内部に収容された状態でアーム３３に固定される（図１参照）。
【００１８】
アダプタ１のポール取付け部１１は，本体１２と，突出部１３と，二本の雄ねじ（六角ボルト）１４とを有する。本体１２は，下端に開口部１２０を有する中空の円筒形に形成される。ただし，本体１２の上面に器具取付け部１０が結合されている。
【００１９】
突出部１３は，本体１２の内側面の一部から突き出すように周方向全体に設けられている。つまり，本体１２は，開口部１２０と突出部１３に挟まれ，照明用ポール２の柱頭部が収容される第１収容空間１２１と，第１収容空間１２１の上方に配置され，かつ，第１収容空間１２１よりも狭い（径が小さい）第２収容空間１２２とを有している（図２参照）。
【００２０】
本体１２の側壁には二つのねじ孔１２３が貫通している。これら二つのねじ孔１２３は，本体１２の側壁において，突出部１３の下方であり，かつ，第１収容空間１２１を挟んで対向する位置に設けられている。これら二つのねじ孔１２３には，二本の雄ねじ１４が一本ずつねじ込まれる（図１及び図２参照）。
【００２１】
ここで，ポール取付け部１１の本体１２の内径（第１収容空間１２１の内径φ１）は，９０ｍｍ〜１２８ｍｍ程度が好ましい。また，突出部１３に囲まれた第２収容空間１２２の内径φ２は，第１収容空間１２１の内径φ１よりも小さく，例えば，６１ｍｍ〜８６ｍｍ程度が好ましい。つまり，第２収容空間１２２の内径φ２が８６ｍｍであれば，外径が３８．１ｍｍ，６０ｍｍ，６０．５ｍｍ及び７６．３ｍｍの円筒形の柱頭部２０Ａと，幅が６０ｍｍの角筒形の柱頭部２０Ｂのうちの一つを択一的に第２収容空間１２２に収容することができる。また，第１収容空間１２１の内径φ１が１２８ｍｍであれば，外径が８９．１ｍｍの円筒形の柱頭部２０Ａと，幅が６０ｍｍ及び９０ｍｍの角筒形の柱頭部２０Ｂのうちの一つを択一的に第１収容空間１２１に収容することができる。ただし，第１収容空間１２１の内径φ１と第２収容空間１２２の内径φ２との上記組合せは一例であって，その他の組合せでも構わない。
【００２２】
アダプタ１は，第１収容空間１２１又は第２収容空間１２２に収容した柱頭部２０Ａ又は２０Ｂを，本体１２の各ねじ孔１２３にねじ込まれる雄ねじ１４で固定することにより，第１の照明用ポール２Ａ又は第２の照明用ポール２Ｂに択一的に取り付けられる。そして，第１の照明用ポール２Ａ又は第２の照明用ポール２Ｂに択一的に取り付けられたアダプタ１の器具取付け部１０に照明器具３が取り付けられる。
【００２３】
すなわち，本実施形態のアダプタ１によれば，形状及び寸法が異なる複数種類の照明用ポール２のいずれに対しても照明器具３を取り付け可能とすることができる。
【００２４】
次に、実施形態のアダプタ１の幾つかの変形例を説明する。ただし、以下に説明する各変形例は、実施形態のアダプタ１と基本的な構成が共通しているので、共通する構成要素については同じ符号を付して適宜説明を省略する。
【００２５】
第１の変形例のアダプタ１における器具取付け部１０は中空の角筒形に形成されている（図４参照）。器具取付け部１０は，アーム３３の第２固定部３３２の内部に収容される。第２固定部３３２の四つのねじ孔３３３に一つずつねじ込まれる雄ねじ３３４が，器具取付け部１０の四つの側壁のうちの二つの側壁に当たることにより，第２固定部３３２の内部に収容された状態でアーム３３に固定される。
【００２６】
第１の変形例におけるポール取付け部１１の本体１２は，下端に開口部１２０を有する中空の角筒形に形成されている。そして，本体１２の上面に器具取付け部１０が結合されている。
【００２７】
本体１２の内側面の一部から突出部１３が突き出している（図４参照）。突出部１３は，本体１２の内側面の一部から突き出すように周方向全体に設けられている。つまり，本体１２の内部は，開口部１２０と突出部１３に挟まれた直方体状の第１収容空間１２１と，第１収容空間１２１よりも小さい直方体状であって第１収容空間１２１の上方に配置される第２収容空間１２２とを有している。
【００２８】
本体１２の側壁に二つのねじ孔１２３が貫通している。これら二つのねじ孔１２３は，本体１２の四つの側壁のうちの隣り合わない二つの側壁において，突出部１３の下方の位置に設けられている（図４参照）。これら二つのねじ孔１２３には，二本の雄ねじ１４が一本ずつねじ込まれる。
【００２９】
ここで，ポール取付け部１１の本体１２の内部の幅（第１収容空間１２１の幅Ｗ１：図５参照）は，９１ｍｍ〜１１５ｍｍ程度が好ましい。また，突出部１３に囲まれた第２収容空間１２２の幅Ｗ２は，第１収容空間１２１の幅Ｗ１よりも小さく，例えば，６１ｍｍ程度が好ましい。つまり，第２収容空間１２２の幅Ｗ２が６１ｍｍであれば，外径が３８．１ｍｍ，６０ｍｍ及び６０．５ｍｍの円筒形の柱頭部２０Ａと，幅が６０ｍｍの角筒形の柱頭部２０Ｂのうちの一つを択一的に第２収容空間１２２に収容することができる。第１収容空間１２１の幅Ｗ１が１１５ｍｍであれば，外径が７６．３ｍｍ，８９．１ｍｍ，１０１．６ｍｍ及び１１４．３ｍｍの円筒形の柱頭部２０Ａと，幅が９０ｍｍの角筒形の柱頭部２０Ｂのうちの一つを択一的に第１収容空間１２１に収容することができる。ただし，第１収容空間１２１の幅Ｗ１と第２収容空間１２２の幅Ｗ２との上記組合せは一例であって，その他の組合せでも構わない。
【００３０】
第１の変形例のアダプタ１は，第１収容空間１２１又は第２収容空間１２２に収容した柱頭部２０Ａ又は２０Ｂを二本の雄ねじ１４で本体１２に固定することにより，第１の照明用ポール２Ａ又は第２の照明用ポール２Ｂに択一的に取り付けられる。そして，第１の照明用ポール２Ａ又は第２の照明用ポール２Ｂに取り付けられたアダプタ１の器具取付け部１０に照明器具３が取り付けられる。
【００３１】
すなわち，第１の変形例のアダプタ１によっても，形状及び寸法が異なる複数種類の照明用ポール２のいずれに対しても照明器具３を取り付け可能とすることができる。
【００３２】
第２の変形例のアダプタ１において，器具取付け部１０及びポール取付け部１１の本体１２は中空の角筒形に形成されている。ただし，器具取付け部１０及びポール取付け部１１の本体１２は中空の円筒形に形成されてもよい。第２の変形例のアダプタ１において，突出部１３は，ポール取付け部１１の本体１２の内側面の一部（例えば，四つの側壁のうちの三つの側壁）から突き出すように設けられている（図６参照）。
【００３３】
第３の変形例のアダプタ１は，図７に示すように，ポール取付け部１１に取り付けられるサブアダプタ１５を備える。サブアダプタ１５は，下端に開口部１５１を有する中空の筒形（円筒形又は角筒形）に形成されて照明用ポール２の柱頭部を収容する第３収容空間１５３を備えたサブアダプタ本体１５０を有する。サブアダプタ本体１５０は，本体１２の第１収容空間１２１に収容された状態において二つのねじ孔１２３と一つずつ繋がる二つの孔１５２を有する。ただし，これら二つの孔１５２の内周面にねじ溝（めねじ）が形成されてもかまわない。
【００３４】
例えば，本体１２の内部の幅（あるいは内径）に比べて照明用ポール２の柱頭部の幅（あるいは外径）が小さい場合，本体１２の第１収容空間１２１に収容された柱頭部と本体１２の内側面との距離も大きくなってアダプタ１が揺れ動きやすくなる。
【００３５】
そこで，サブアダプタ１５を本体１２の第１収容空間１２１に収容し，サブアダプタ１５の内部に柱頭部を収容すれば，照明用ポール２に対してアダプタ１が揺れ動くことを抑制することができる。
【００３６】
次に，実施形態の照明器具４を説明する。照明器具４は，図８に示すように，器具本体４０と，アダプタ１とを有する。
【００３７】
器具本体４０は、円板状の天板と、天板の周縁から全周に渡って下向きに突き出た側壁４００とを有する。天板と側壁４００は、鋼板などの金属材料によって一体に形成されている。器具本体４０の天板の下面に一つ以上のＬＥＤユニット（不図示）が取り付けられている。
【００３８】
また，照明器具４は，グローブ４１を有している。グローブ４１は、円盤状の底板と、底板の周縁から全周に渡って上向きに突き出た側板４１０とを有する。底板と側板４１０は、アクリル樹脂などの透光性を有する材料で一体に形成されている。アダプタ１の器具取付け部１０が通される円形の孔が底板の中央に貫通している。アダプタ１の器具取付け部１０の上端が器具本体４０の天板に固定されている。つまり，器具本体４０とアダプタ１は一体に形成されている。グローブ４１は、側板４１０を側壁４００の内側に収めるようにして器具本体４０に取り付けられる。
【００３９】
アダプタ１のポール取付け部１１の構造は，図２〜図７に示したいずれかのアダプタ１のポール取付け部１１の構造と共通である。したがって，照明器具４は，照明用ポール２の柱頭部がアダプタ１のポール取付け部１１の第１収容空間１２１又は第２収容空間１２２に択一的に収容され，かつ，二本の雄ねじ１４でねじ止めされることにより，照明用ポール２に取り付けられる。
【００４０】
照明器具４は，アダプタ１を有しているため，形状及び寸法が異なる複数種類の照明用ポール２のいずれに対しても取付け可能とすることができる。
【００４１】
上述のように第１の態様に係るアダプタ（１）は，照明器具（３）が取り付けられる器具取付け部（１０）と，照明用ポール（２）に取り付けられるポール取付け部（１１）とを備える。ポール取付け部（１１）は，下端に開口部（１２０）を有する中空の筒形に形成される本体（１２）と，本体（１２）の内側面の少なくとも一部から突き出す突出部（１３）とを有する。ポール取付け部（１１）は，本体（１２）の側壁を貫通する複数のねじ孔（１２３）に一本ずつねじ込まれる複数の雄ねじ（１４）を更に有する。本体（１２）は，開口部（１２０）と突出部（１３）に挟まれ，照明用ポール（２）の先端部分（柱頭部）が収容される第１収容空間（１２１）を本体（１２）の内部に有する。本体（１２）は，第１収容空間（１２１）の上方に配置され，かつ，第１収容空間（１２１）よりも狭い第２収容空間（１２２）を本体（１２）の内部に更に有する。複数のねじ孔（１２３）のうちの少なくとも二つのねじ孔（１２３）は，第１収容空間（１２１）を挟んで対向する位置に配置される。
【００４２】
第１の態様に係るアダプタ（１）は，本体（１２）の複数のねじ孔（１２３）に一本ずつねじ込まれる複数の雄ねじ（１４）により，第１収容空間（１２１）又は第２収容空間（１２２）に択一的に収容された照明用ポール（２）の先端部分を固定する。その結果，第１の態様に係るアダプタ（１）は，形状及び寸法が異なる複数種類の照明用ポール（２）のいずれに対しても照明器具（３）を取り付け可能とすることができる。
【００４３】
第２の態様に係るアダプタ（１）は，第１の態様との組合せにより実現され得る。第２の態様に係るアダプタ（１）において，突出部（１３）は，本体（１２）の内側面の一部における周方向全体に設けられていることが好ましい。
【００４４】
第２の態様に係るアダプタ（１）は，第２収容空間（１２２）に照明用ポール（２）の先端部分を収容したときに照明用ポール（２）に対するポール取付け部（１１）の片寄りを抑制することができる。
【００４５】
第３の態様に係るアダプタ（１）は，第１又は第２の態様との組合せにより実現され得る。第３の態様に係るアダプタ（１）において，本体（１２）の内部は，角筒形又は円筒形であることが好ましい。
【００４６】
第３の態様に係るアダプタ（１）は，本体（１２）の内部が角筒形又は円筒形であるので，角筒形及び円筒形のいずれの照明用ポール（２）にもポール取付け部（１１）を取り付けることができる。
【００４７】
第４の態様に係るアダプタ（１）は，第１〜第３の態様のいずれか一つとの組合せにより実現され得る。第４の態様に係るアダプタ（１）において，ポール取付け部（１１）に取り付けられるサブアダプタ（１５）を備えることが好ましい。サブアダプタ（１５）は，下端に開口部（１５１）を有する中空の筒形に形成されて照明用ポール（２）の先端部分を収容するサブアダプタ本体（１５０）を有することが好ましい。サブアダプタ本体（１５０）は，本体（１２）の第１収容空間（１２１）に収容された状態において複数のねじ孔（１２３）と一つずつ繋がる複数の孔（１５２）を有することが好ましい。
【００４８】
第４の態様に係るアダプタ（１）は，サブアダプタ（１５）を介在させることによって，照明用ポール（２）に対して揺れ動くことを抑制することができる。
【００４９】
第５の態様に係る照明器具（４）は，器具本体（４０）と，第１〜第４の態様のいずれか一つのアダプタ（１）とを有する。
【００５０】
第５の態様に係る照明器具（４）は，形状及び寸法が異なる複数種類の照明用ポール（２）のいずれに対しても取付け可能とすることができる。
【符号の説明】
【００５１】
１  アダプタ
２  照明用ポール
２Ａ  第１の照明用ポール
２Ｂ  第２の照明用ポール
３  照明器具
４  照明器具
１０  器具取付け部
１１  ポール取付け部
１２  本体
１３  突出部
１４  雄ねじ
１５  サブアダプタ
２０Ａ；２０Ｂ  柱頭部（照明用ポールの先端部分）
４０  器具本体
１２０  開口部
１２１  第１収容空間
１２２  第２収容空間
１２３  ねじ孔
１５０  サブアダプタ本体
１５２  孔
【図１】
2019192506.tif 000003
【図２】
2019192506.tif 000004
【図３】
2019192506.tif 000005
【図４】
2019192506.tif 000006
【図５】
2019192506.tif 000007
【図６】
2019192506.tif 000008
【図７】
2019192506.tif 000009
【図８】
2019192506.tif 000010